(57)【特許請求の範囲】
【請求項１】
１以上の外線および複数の内線を収容する電話制御装置と前記内線に接続される複数の内線電話機から成る内線電話システムを構成する電話制御装置であって、
前記外線または複数の内線を介して通話する音声を録音する通話録音手段と、予め定められた起動条件を満足した場合に前記通話録音手段を自動的に起動する通話録音自動起動手段と、前記通話録音手段が通話録音した音声データを保存または削除する通話録音保存削除手段と、を有し、
前記内線電話機のいずれかを着信先として指定する個別着信に対して、当該個別着信が指定した内線電話機以外が応答した場合、または当該個別着信が指定した内線電話機が応答して予め定められた第１の特定操作が為された場合に、前記通話録音自動起動手段は前記通話録音手段を自動的に起動し、前記通話録音保存手段は予め定められた保存条件を満足した場合に前記通話録音した音声データを保存し、自電話制御装置は前記保存された音声データが有る旨を当該個別着信が指定した内線電話機または前記内線電話機と関連付けられた宛先に通知し、
前記内線電話機のいずれかを着信先として指定する個別着信に対して、当該個別着信が指定した内線電話機以外が応答して予め定められた第２の特定操作が為された場合に、前記通話録音自動起動手段は前記通話録音手段を起動しないことを特徴とする代理応答自動通話録音機能を有する電話制御装置。
【請求項２】
１以上の外線および複数の内線を収容する電話制御装置と前記内線に接続される複数の内線電話機から成る内線電話システムを構成する電話制御装置であって、
前記外線または複数の内線を介して通話する音声を録音する通話録音手段と、予め定められた起動条件を満足した場合に前記通話録音手段を自動的に起動する通話録音自動起動手段と、前記通話録音手段が通話録音した音声データを保存または削除する通話録音保存削除手段と、を有し、
前記内線電話機のいずれかを着信先として指定する個別着信に対して、当該個別着信が指定した内線電話機以外が応答した場合、または当該個別着信が指定した内線電話機が応答して前記第１の特定操作が為された場合に、自電話制御装置は、前記代理応答した内線電話機または前記第１の特定操作が為された内線電話機に対して、前記通話録音手段を起動する旨を表示させ、
前記通知した内線電話機から前記通話録音手段の起動を停止する予め定められた第３の特定操作が為されないならば、前記通話録音自動起動手段は前記通話録音手段を自動的に起動し、前記通話録音保存手段は予め定められた保存条件を満足した場合に前記通話録音した音声データを保存し、自電話制御装置は前記保存された音声データが有る旨を当該個別着信が指定した内線電話機または前記内線電話機と関連付けられた宛先に通知し、
前記通知した内線電話機から前記通話録音手段の起動を停止する予め定められた第３の特定操作が為されたならば、前記通話録音自動起動手段は前記通話録音手段を起動しないことを特徴とする代理応答自動通話録音機能を有する電話制御装置。
【発明の詳細な説明】
【技術分野】
【０００１】
本発明は、内線電話システムを構成する電話システムの主装置や構内交換装置等の電話制御装置に関するものである。
【背景技術】
【０００２】
顧客毎に担当者が決まっている部門における電話取次ぎを効率的に行うために、顧客の電話番号毎に対応する応対者とその応対者状態のテーブルを有し、顧客からの着信に応答すべき本来の応対者が不在状態で代理応対者が応対した場合に、通話録音を自動的に開始して本来の応対者へ通話録音内容を送信する応答制御方式に関する技術がある（例えば、特許文献１）。
【先行技術文献】
【特許文献】
【０００３】
【特許文献１】特開２０００−７８２８７号公報
【発明の概要】
【発明が解決しようとする課題】
【０００４】
しかしながら、特許文献１に記載された技術では、本人以外の者が当該内線電話機から応答した場合や、着信先の本人が他の内線電話機で応答した場合を想定していない。
【０００５】
そこで、本発明が解決しようとする課題は、本人以外の者が当該内線電話機から応答した場合や、着信先の本人が他の内線電話機で応答した場合でも、通話録音の開始または停止が可能な電話制御装置を提供することにある。
【課題を解決するための手段】
【０００６】
本発明は、上記の課題を解決するために、１以上の外線および複数の内線を収容する電話制御装置と前記内線に接続される複数の内線電話機から成る内線電話システムを構成する電話制御装置であって、前記外線または複数の内線を介して通話する音声を録音する通話録音手段と、予め定められた起動条件を満足した場合に前記通話録音手段を自動的に起動する通話録音自動起動手段と、前記通話録音手段が通話録音した音声データを保存または削除する通話録音保存削除手段と、を有し、前記内線電話機のいずれかを着信先として指定する個別着信に対して、当該個別着信が指定した内線電話機以外が応答した場合、または当該個別着信が指定した内線電話機が応答して予め定められた第１の特定操作が為された場合に、前記通話録音自動起動手段は前記通話録音手段を自動的に起動し、前記通話録音保存手段は予め定められた保存条件を満足した場合に前記通話録音した音声データを保存し、自電話制御装置は前記保存された音声データが有る旨を当該個別着信が指定した内線電話機または前記内線電話機と関連付けられた宛先に通知し、前記内線電話機のいずれかを着信先として指定する個別着信に対して、当該個別着信が指定した内線電話機以外が応答して予め定められた第２の特定操作が為された場合に、前記通話録音自動起動手段は前記通話録音手段を起動しないことを特徴とする。
【発明の効果】
【０００７】
本発明によれば、着信先が指定された個別着信に対して、指定された着信先の内線以外の内線電話機が代理応答した場合に、通話録音を自動的に開始することに加え、当該個別着信の着信先の内線電話機で本人以外が応答した場合にも、通話録音を自動的に開始するので、代理応答した者による通話内容を代理応答された者に確実に伝達することが可能な電話制御装置を提供できる。
【図面の簡単な説明】
【０００８】
【図１】本発明による電話制御装置の内部ブロック構成図
【図２】通話録音条件の登録例
【図３】本発明による電話制御装置の動作フローチャート
【発明を実施するための形態】
【０００９】
以下、図面を用いて本発明の実施例を説明する。図１は、本発明による電話制御装置（以下、本装置と略すこともある）１の内部ブロック構成図であって、外線対応部１０１、交換処理部１０２、内線対応部１０３、呼制御部１１０、通話録音部１２０、通話録音起動処理部１３０、通話録音保存処理部１４０、通話録音データ格納部１５０、通話録音条件登録部１６０から構成される。
【００１０】
呼制御部１１０は、外線対応部１０１または内線対応部１０３からの着信呼、および内線対応部１０３からの発信呼を検知して発着信に係る呼制御を実行し、その呼制御と連動して交換処理部１０２に通話路制御を指示する手段である。
【００１１】
例えば、電話網２を経由した発信元電話機３から内線電話機４ａへの着信を、外線対応部１０１を介して呼制御部１１０が検知すると、呼制御部１１０は交換処理部１０２，内線対応部１０３を介してその着信の到来を着信先である内線電話機４ａへ通知して着信鳴動および着信表示させ、内線電話機４ａの利用者を呼出す。また、呼制御部１１０が内線対応部１０３を介して内線電話機４からの発信要求を検知すると、呼制御部１１０は当該発信の着信先である外線または内線への発信処理を実行する。そして、着信側が応答すると、呼制御部１１０は交換処理部１０２を制御して発信側と着信先の回線（外線または内線）を接続する。このような一般的な発着信に係わる処理は、通常のボタン電話や構内交換装置（ＰＢＸ）が実行する交換処理と同じである。
【００１２】
通話録音部１２０は、通話録音起動処理部１３０の指示により、当該着信の発信元と前記着信応答した内線電話機との間で通話する音声を録音し、通話録音保存処理部１４０の指示に従って通話録音データを通話録音データ格納部１５０に保存する手段である。
【００１３】
通話録音起動処理部１３０は、呼制御部１１０からの指示および内線対応部１０３からの信号に応じて、通話録音部１２０を起動または停止する処理手段である。呼制御部１１０が応答を検出した場合に、後述する条件に応じて、通話録音を起動するか否かを判断する。
【００１４】
通話録音保存処理部１４０は、通話録音部１２０が録音した通話録音データの削除または通話録音データ格納部１５０への保存を後述する条件に応じて制御する手段である。
【００１５】
通話録音条件登録部１６０は、特定の発信元や着信先に対して、通話録音を起動するか否かの通話録音条件を予め登録しておく手段である。この通話録音条件の登録は、内線電話機４，内線対応部１０３，通話録音起動処理部１３０を介して通話録音条件登録部１６０に各内線電話機４の使用者が自由に登録可能である。
【００１６】
図２は、通話録音条件登録部１６０に登録される通話録音条件の一例であって、列２００には発信元の電話番号、列２０１には着信先内線の電話番号、列２０２には代理応答内線の電話番号、列２０３には通話録音を起動するか否かが予め登録されている。
【００１７】
例えば、発信元ａからの着信先が内線電話機４ａの内線であった場合（行２１１）、代理応答内線がいずれであっても、行２１１の列２０３の条件が適用され、通話録音が起動される。この場合、発信元ａから内線電話機４ａへの着信は重要な着信と位置づけられており、どの内線から代理応答しても、その通話録音を残すことが可能となる。
【００１８】
また、例えば、発信元ａからの着信先が内線電話機４ｂの内線であった場合（行２１２）、この着信に内線電話機４ａが代理応答すると、行２１２の列２０３の条件が適用され、通話録音は起動されない。この場合、発信元ａからの着信に対して、元々内線電話機４ａの使用者は、着信先の内線電話機４ｂの使用者に伝言する必要なく、適切に対応可能な者と位置づけられており（例えば、上司）、不要な通話録音を防止できる。
【００１９】
このように、特定の発信元や特定の着信先や代理応答内線を指定して、通話録音を起動するか否かを登録することが可能なので、不要な通話録音を防止でき、通話録音データ格納部１５０の記憶容量を軽減できると共に、録音データの整理がし易くなる。
【００２０】
図２に示した例は、特定の発信元と特定の着信先内線と代理応答内線とを関連付けた条件登録の一例であるが、これ以外の条件、例えば、転送が為された場合の条件や着信の時間帯よる条件等を登録するようにすることも可能である。
【００２１】
なお、通話録音条件登録部１６０への通話録音条件の登録は、外線対応部１０１を介して、出先の携帯電話機や公衆電話から本装置１にアクセスし、遠隔で登録することも可能である（図示せず）。
【００２２】
図３は、本装置１の動作フローチャートである。以下、図１，図２を併用して、本装置１の動作フローを説明する。
【００２３】
本フローは本装置１に個別着信が着た状態でスタートする（Ｓ３００）。個別着信を検知すると（Ｓ３００）、本装置１は当該個別着信が指定する着信先の内線電話機を鳴動させて呼出す（Ｓ３０１）。着信先の内線電話機が応答せず（Ｓ３０２、ＮＯ）、代理応答も無い場合（Ｓ３０３、ＮＯ）、Ｓ３０１に戻り呼出しを継続する。
【００２４】
着信先の内線電話機が応答した場合（Ｓ３０２、ＹＥＳ）、呼制御部１１０は個別着信の発信元の回線と応答した内線の通話チャネルを接続して通話可能とし（Ｓ３１０）、第１の特定操作（例えば、“＃１”押下）の有無を監視する（Ｓ３１１）。
【００２５】
第１の特定操作が一定時間（例えば５秒）内に為されなかった場合（Ｓ３１１，ＮＯ）、通話録音を自動起動することなく、本フローは終了する（Ｓ３６０）。ただし、本フローは通話録音に係るフローであり、その通話自体は、通常の発着信処理のフロー（図示せず）により継続している。このケースは当該個別着信の着信先内線電話機の使用者本人が、その着信に応答する通常のケースであり、伝言のための通話録音は不要である。
【００２６】
Ｓ３１１で第１の特定操作が一定時間内に為された場合（Ｓ３１１，ＹＥＳ）、Ｓ３２１へ進む。このケースは当該個別着信の着信先内線電話機にその使用者本人以外が応答したケースであり、この第１の特定操作は、応答した者が当該内線電話機の使用者本人以外の者で、着信先内線電話機の使用者本人へ伝言するための通話録音が必要と判断した場合に為す操作である。即ち、当該個別着信が指定する着信先内線電話機に近傍の者が出た場合も、Ｓ３２１以降の伝言のための通話録音の自動的起動に係るフローへ移行する。
【００２７】
当該個別着信が指定する着信先内線電話機以外から代理応答が為された場合（Ｓ３０３、ＹＥＳ）、呼制御部１１０は個別着信の発信元の回線と応答した内線の通話チャネルを接続して通話可能とし（Ｓ３２０）、第２の特定操作（例えば、“＃２”押下）の有無を監視する（Ｓ３２１）。
【００２８】
第２の特定操作が一定時間（例えば５秒）内に為された場合（Ｓ３２１，ＹＥＳ）、通話録音を自動起動することなく本フローは終了する（Ｓ３６０）。ただし、通話自体は継続している。このケースは当該個別着信の着信先内線電話機の使用者本人が、その着信に気付き、他の内線電話機から代理応答して通話するケースであり、この第２の特定操作は、代理応答操作した者が被代理応答の本人で、伝言のための通話録音が不要な場合に為す操作である。
【００２９】
第２の特定操作が一定時間内に為されなかった場合（Ｓ３２１，ＮＯ）、通話録音起動処理部１３０は、通話録音条件登録部１６０を参照し、当該個別着信の発信元，着信先内線，代理応答内線が通話録音条件に合致する否かを判定する（Ｓ３２２）。通話録音起動処理部１３０が、通話録音条件登録部１６０を参照した結果、合致する通話録音条件が無かった場合（Ｓ３２２，ＮＯ）、通話録音を自動起動することなく、本フローは終了する（Ｓ３６０）。ただし、通話自体は継続する。
【００３０】
通話録音起動処理部１３０が、通話録音条件登録部１６０を参照した結果、合致する通話録音条件があった場合（Ｓ３２２，ＹＥＳ）、応答した内線電話機に通話録音を起動する旨を通知して（Ｓ３３０）、通話録音を自動起動する旨と、第３の特定操作（例えば、“＃３”押下）により通話録音の自動起動が停止する旨を表示させる。
【００３１】
第３の特定操作が一定時間（例えば５秒）内に為された場合（Ｓ３３１，ＹＥＳ）、通話録音を自動起動することなく、本フローは終了する（Ｓ３６０）。ただし、通話自体は継続する。このケースは代理応答した者が当該個別着信の発信元が要求する処理を完結できる立場の者で、着信先内線電話機の使用者本人へ伝言するための通話録音は不要と判断した場合であって、第３の特定操作は通話録音不要を示す操作である。
【００３２】
第３の特定操作が一定時間内に為されなかった場合（Ｓ３３１，ＮＯ）、通話録音起動処理部１３０は、通話録音部１２０を起動して通話録音を開始する（Ｓ３４０）。
【００３３】
通話録音を開始した後、転送操作が為されなければ（Ｓ３４１，ＮＯ）、通話録音を継続したままＳ３４３へ進む。通話録音を開始した後、転送操作が為された場合（Ｓ３４１，ＹＥＳ）、通話録音部１２０は通話録音する対象を、当該個別着信呼が転送された転送先の内線電話機と当該個別着信の発信元との通話に切替えて、通話録音を継続し（Ｓ３４２）、Ｓ３４３へ進む。これにより、個別着信に代理応答した者が途中で誰かに転送した場合であっても、当該個別着信に係る通話録音が継続するので、本来の着信先の者への伝言が確実になる。
【００３４】
通話録音の継続中に第４の特定操作（例えば、“＃４”押下）が無いまま（Ｓ３４３，ＮＯ）、通話が終了または通話録音の停止操作が為されて通話録音が終了した場合（Ｓ３４４，ＹＥＳ）、それまでに通話録音した通話録音部１２０内のバッファメモリ（図示せず）に蓄積されている音声データを通話録音データ格納部１５０に保存する（Ｓ３５０）。そして、代理応答された当該着信が指定した着信先の内線電話機に通話録音有りを通知しその旨を表示させる（Ｓ３５１）。これにより、代理応答された者は代理応答されたことと、その通話録音の存在に気付き、通話録音データ格納部１５０にアクセスして通話録音内容を聴くことができる。
【００３５】
第４の特定操作が為された場合は（Ｓ３４３，ＹＥＳ）、それまでに通話録音した音声データを通話録音データ格納部１５０に保存することなく、本フローは終了する（Ｓ３６０）。このケースは代理応答した者が、その代理応答した通話において当該個別着信の発信元が要求する処理を完結したため着信先内線電話機の使用者本人へ伝言するための通話録音データの格納は不要と判断した場合であって、第４の特定操作は通話録音データ格納不要を示す操作である。これにより、無駄な通話録音の蓄積を防止できる。
【００３６】
以上、説明した通り、本発明によれば、着信先が指定された個別着信に対して、指定された着信先の内線以外の内線電話機が代理応答した場合に、通話録音を自動的に開始することに加え、当該個別着信の着信先の内線電話機で本人以外が応答した場合にも、通話録音を自動的に開始するので、代理応答した者による通話内容を代理応答された者に確実に伝達することが可能な電話制御装置を提供できる。また、当該個別着信の着信先の内線電話機以外から発信元が求める着信者本人が応答した場合には、通話録音を起動しないので、通話録音データ格納部の記憶容量を有効利用できる効果がある。
【００３７】
なお、本発明による電話制御装置は、内線電話システムを構成する電話システムの主装置や構内交換装置等の電話制御装置に限定されない。例えば、複数の子機を収容するホームテレホンであってもよい。
【符号の説明】
【００３８】
１・・・本発明による電話制御装置
２・・・電話網
３・・・発信元電話機
４・・・内線電話機
１０１・・・外線対応部
１０２・・・交換処理部
１０３・・・内線対応部
１１０・・・呼制御部
１２０・・・通話録音部
１３０・・・通話録音起動処理部
１４０・・・通話録音保存処理部
１５０・・・通話録音データ格納部
１６０・・・通話録音条件登録部
【図１】
0005582068.tif 000002
【図２】
0005582068.tif 000003
【図３】
0005582068.tif 000004